(57)【要約】【課題】放射線画像の画質の低下を抑制することができ、かつ通気を行うことができる放射線画像撮影装置、放射線画像撮影システム及びプログラムを提供する。【解決手段】筐体５４の側面９４Ａ，９４Ｂ，９４Ｃ，９４Ｄを囲むように設けられると共に、通気口９６を開放及び閉塞するものであり、電磁波を遮断する部材で構成された蓋部材９８と、通気口９６を開放及び閉塞するように、かつ通気口９６が開放されているときよりも通気口９６が閉塞されているときの方が筐体５４内への電磁波の侵入路が減少するように蓋部材９８を移動させる移動機構と、を備え、本読みが行われている期間では通気口９６が閉塞され、当該期間以外の期間では通気口９６が開放されるように移動機構を制御する。【選択図】図７
2010005096.tif 000002
【特許請求の範囲】
【請求項１】
外部から照射された放射線量に応じた放射線画像を示す画像情報を生成し保持する生成保持手段、及び当該生成保持手段により保持されている画像情報を読み取る読取手段が収納されると共に、側面に通気口が形成された筐体と、
前記筐体の側面を囲んで前記通気口を開放及び閉塞可能に設けられると共に、電磁波を遮断する部材で構成された遮断部材と、
前記通気口を開放及び閉塞するように前記遮断部材を移動させる移動手段と、
前記読取手段による読み取り期間を含む予め定められた期間では前記通気口が閉塞され、当該予め定められた期間以外の期間では前記通気口が開放されるように前記移動手段を制御する制御手段と、
を備えた放射線画像撮影装置。
【請求項２】
前記遮断部材を、前記通気口を閉塞した状態で復元力により前記筐体の側面に密着され、前記通気口を開放する際に前記通気口に対応する部分が前記復元力に抗して前記筐体の側面から離れる方向に移動される帯状の弾性部材で構成した請求項１記載の放射線画像撮影装置。
【請求項３】
前記予め定められた期間を、前記読み取り期間とした請求項１又は請求項２記載の放射線画像撮影装置。
【請求項４】
前記予め定められた期間を、放射線が照射されてから前記読み取り期間が終了するまでの期間とした請求項１又は請求項２記載の放射線画像撮影装置。
【請求項５】
放射線の照射開始が指示されたことを示す照射開始情報を受信する受信手段を更に備え、
前記予め定められた期間を、前記受信手段が前記照射開始情報を受信してから前記読み取り期間が終了するまでの期間とした請求項１又は請求項２記載の放射線画像撮影装置。
【請求項６】
放射線を照射するためのエネルギーの蓄積開始が指示されたことを示す蓄積開始情報を受信する受信手段を更に備え、
前記予め定められた期間を、前記受信手段が前記蓄積開始情報を受信してから前記読み取り期間が終了するまでの期間とした請求項１又は請求項２記載の放射線画像撮影装置。
【請求項７】
被写体の特定が終了したことを示す特定終了情報を受信する受信手段を更に備え、
前記予め定められた期間を、前記受信手段が前記特定終了情報を受信してから前記読み取り期間が終了するまでの期間とした請求項１又は請求項２記載の放射線画像撮影装置。
【請求項８】
請求項５記載の放射線画像撮影装置と、
前記受信手段に前記照射開始情報を送信する送信手段を有する通信装置と、
を備えた放射線画像撮影システム。
【請求項９】
請求項６記載の放射線画像撮影装置と、
前記受信手段に前記蓄積開始情報を送信する送信手段を有する通信装置と、
を備えた放射線画像撮影システム。
【請求項１０】
請求項７記載の放射線画像撮影装置と、
前記受信手段に前記特定終了情報を送信する送信手段を有する通信装置と、
を備えた放射線画像撮影システム。
【請求項１１】
コンピュータを、請求項１〜請求項７の何れか１項に記載の放射線画像撮影装置を構成する制御手段として機能させるためのプログラム。
【発明の詳細な説明】
【技術分野】
【０００１】
本発明は、放射線画像撮影装置、放射線画像撮影システム及びプログラムに関する。
【背景技術】
【０００２】
近年、ＴＦＴ（Thin Film Transistor）アクティブマトリクス基板上にＸ線感応層を配置し、Ｘ線を直接デジタルデータに変換できるＦＰＤ（Flat Panel Detector）が実用化されており、このＦＰＤ等を用いて照射された放射線により表わされる放射線画像を示す画像情報を生成し、生成した画像情報を記憶する放射線画像撮影装置（以下、「電子カセッテ」ともいう。）が実用化されている。
【０００３】
電子カセッテは、照射された放射線量に応じた放射線画像を示す画像情報を生成し保持する生成保持回路と、当該生成保持回路により保持されている画像情報を読み取る読取回路とを筐体に収納しており、撮影時にこれらの回路で発生する熱の影響で放射線画像の画質が低下する場合がある、という問題が知られている。
【０００４】
この問題を解決するための技術として、特許文献１には、電子カセッテの筐体内にファンを設け、ファンによる送風で筐体内の回路を冷却する技術が記載されている。
【０００５】
また、特許文献２には、電子カセッテの筐体に通気口を設け、撮影時に通気口を閉塞し、非撮影時に通気口を開放して筐体内の空気を当該通気口から外に排出すると共に、当該通気口から筐体内に外気を取り込むことにより装置全体を冷却する技術が記載されている。更に、特許文献２には、通気口を開放及び閉塞するシャッタで外乱ノイズの筐体内への侵入を阻止する技術が記載されている。
【特許文献１】特開２００１−２８１３４５号公報
【特許文献２】特開平１０−１７７２２４号公報
【発明の開示】
【発明が解決しようとする課題】
【０００６】
しかしながら、特許文献１の技術では、筐体内が密閉された空間となっているため、筐体内の回路を十分に冷却することができない、という問題点があった。
【０００７】
特許文献２の技術では、筐体内の空気を通気口から外に排出すると共に、通気口から外気を筐体内に取り込むようにしているので、特許文献１の技術よりも高い冷却効果が期待できるものの、読取回路が生成保持回路により保持されている画像情報を読み取る際に通気口が開放されるため、その際に通気口を介して筐体内に外乱ノイズが侵入してくると、当該外乱ノイズが画像情報に重畳され、放射線画像の画質が低下する場合がある、という問題点があった。
【０００８】
本発明は上記問題点を解決するために成されたものであり、放射線画像の画質の低下を抑制することができ、かつ通気を行うことができる放射線画像撮影装置、放射線画像撮影システム及びプログラムを提供することを目的とする。
【課題を解決するための手段】
【０００９】
上記目的を達成するために、請求項１に記載の放射線画像撮影装置は、外部から照射された放射線量に応じた放射線画像を示す画像情報を生成し保持する生成保持手段、及び当該生成保持手段により保持されている画像情報を読み取る読取手段が収納されると共に、側面に通気口が形成された筐体と、前記筐体の側面を囲んで前記通気口を開放及び閉塞可能に設けられると共に、電磁波を遮断する部材で構成された遮断部材と、前記通気口を開放及び閉塞するように前記遮断部材を移動させる移動手段と、前記読取手段による読み取り期間を含む予め定められた期間では前記通気口が閉塞され、当該予め定められた期間以外の期間では前記通気口が開放されるように前記移動手段を制御する制御手段と、を備えている。
【００１０】
請求項１に記載の放射線画像撮影装置によれば、外部から照射された放射線量に応じた放射線画像を示す画像情報を生成し保持する生成保持手段、及び当該生成保持手段により保持されている画像情報を読み取る読取手段が収納されると共に、側面に通気口が形成された筐体の側面を囲んで通気口を開放及び閉塞可能に設けられると共に、電磁波を遮断する部材で構成された遮断部材が、移動手段によって、通気口を開放及び閉塞するように移動される。
【００１１】
ここで、本発明では、制御手段により、読取手段による読み取り期間を含む予め定められた期間では通気口が閉塞され、当該予め定められた期間以外の期間では通気口が開放されるように移動手段が制御される。
【００１２】
このように、本発明の放射線画像撮影装置によれば、読み取り期間を含む予め定められた期間では通気口が閉塞され、当該予め定められた期間以外の期間では通気口が開放されるので、放射線画像の画質の低下を抑制することができ、かつ通気を行うことができる。
【００１３】
なお、請求項１に記載の放射線画像撮影装置は、請求項２に記載の発明のように、前記遮断部材を、前記通気口を閉塞した状態で復元力により前記筐体の側面に密着され、前記通気口を開放する際に前記通気口に対応する部分が前記復元力に抗して前記筐体の側面から離れる方向に移動される帯状の弾性部材で構成したものである。これにより、簡素な構成で通気口を開放及び閉塞することができる。
【００１４】
また、請求項１又は請求項２に記載の放射線画像撮影装置は、請求項３に記載の発明のように、前記予め定められた期間を、前記読み取り期間としたものである。これにより、読み取り期間は通気口が閉塞され、読み取り期間以外の期間は通気口が開放されるので、放射線画像の画質の低下を抑制することができ、かつ読み取り期間以外の期間で通気を行うことができる。
【００１５】
また、請求項１又は請求項２に記載の放射線画像撮影装置は、請求項４に記載の発明のように、前記予め定められた期間を、放射線が照射されてから前記読み取り期間が終了するまでの期間としたものである。これにより、放射線が照射されてから読み取り期間が終了するまでの期間は通気口が閉塞され、放射線が照射されてから読み取り期間が終了するまでの期間以外の期間は通気口が開放されるので、放射線画像の画質の低下を抑制することができ、かつ放射線が照射されてから読み取り期間が終了するまでの期間以外の期間で通気を行うことができる。
【００１６】
また、請求項１又は請求項２に記載の放射線画像撮影装置は、請求項５に記載の発明のように、放射線の照射開始が指示されたことを示す照射開始情報を受信する受信手段を更に備え、前記予め定められた期間を、前記受信手段が前記照射開始情報を受信してから前記読み取り期間が終了するまでの期間としたものである。これにより、照射開始情報を受信してから読み取り期間が終了するまでの期間は通気口が閉塞され、照射開始情報を受信してから読み取り期間が終了するまでの期間以外の期間は通気口が開放されるので、放射線画像の画質の低下を抑制することができ、かつ照射開始情報を受信してから読み取り期間が終了するまでの期間以外の期間で通気を行うことができる。
【００１７】
また、請求項１又は請求項２に記載の放射線画像撮影装置は、請求項６に記載の発明のように、放射線を照射するためのエネルギーの蓄積開始が指示されたことを示す蓄積開始情報を受信する受信手段を更に備え、前記予め定められた期間を、前記受信手段が前記蓄積開始情報を受信してから前記読み取り期間が終了するまでの期間としたものである。これにより、蓄積開始情報を受信してから読み取り期間が終了するまでの期間は通気口が閉塞され、蓄積開始情報を受信してから読み取り期間が終了するまでの期間以外の期間は通気口が開放されるので、放射線画像の画質の低下を抑制することができ、かつ蓄積開始情報を受信してから読み取り期間が終了するまでの期間以外の期間で通気を行うことができる。
【００１８】
また、請求項１又は請求項２に記載の放射線画像撮影装置は、請求項７に記載の発明のように、被写体の特定が終了したことを示す特定終了情報を受信する受信手段を更に備え、前記予め定められた期間を、前記受信手段が前記特定終了情報を受信してから前記読み取り期間が終了するまでの期間としたものである。これにより、特定終了情報を受信してから読み取り期間が終了するまでの期間は通気口が閉塞され、特定終了情報を受信してから読み取り期間が終了するまでの期間以外の期間は通気口が開放されるので、放射線画像の画質の低下を抑制することができ、かつ特定終了情報を受信してから読み取り期間が終了するまでの期間以外の期間で通気を行うことができる。
【００１９】
一方、上記目的を達成するために、請求項８記載の放射線画像撮影システムは、請求項５記載の放射線画像撮影装置と、前記受信手段に前記照射開始情報を送信する送信手段を有する通信装置と、を備えている。
【００２０】
請求項８記載の放射線画像撮影システムによれば、請求項５記載の放射線画像撮影装置と同様に作用するので、当該放射線画像撮影装置と同様の効果を得ることができる。
【００２１】
また、請求項９記載の放射線画像撮影システムは、請求項６記載の放射線画像撮影装置と、前記受信手段に前記蓄積開始情報を送信する送信手段を有する通信装置と、を備えている。
【００２２】
請求項９記載の放射線画像撮影システムによれば、請求項６記載の放射線画像撮影装置と同様に作用するので、当該放射線画像撮影装置と同様の効果を得ることができる。
【００２３】
また、請求項１０記載の放射線画像撮影システムは、請求項７記載の放射線画像撮影装置と、前記受信手段に前記特定終了情報を送信する送信手段を有する通信装置と、を備えている。
【００２４】
請求項１０記載の放射線画像撮影システムによれば、請求項７記載の放射線画像撮影装置と同様に作用するので、当該放射線画像撮影装置と同様の効果を得ることができる。
【００２５】
一方、上記目的を達成するために、請求項１１記載のプログラムは、コンピュータを、請求項１〜請求項７の何れか１項に記載の放射線画像撮影装置を構成する制御手段として機能させるためのものである。
【００２６】
従って、請求項１１記載のプログラムによれば、請求項１〜請求項７の何れか１項に記載の放射線画像撮影装置と同様に作用するので、当該放射線画像撮影装置と同様の効果を得ることができる。
【発明の効果】
【００２７】
本発明によれば、放射線画像の画質の低下を抑制することができ、かつ通気を行うことができる、という効果が得られる。
【発明を実施するための最良の形態】
【００２８】
以下、図面を参照して本発明を実施するための最良の形態について詳細に説明する。
【００２９】
〔第１の実施形態〕
【００３０】
先ず、本実施形態に係る放射線情報システム１０の構成について説明する。図１には、本実施形態に係る放射線情報システム１０{以下、「ＲＩＳ１０」（ＲＩＳ：Radiology Information System）とも称する。）の各構成要素を示すブロック図が示されている。
【００３１】
ＲＩＳ１０は、放射線科部門内における、診療予約、診断記録等の情報管理を行うためのシステムであり、病院情報システム（ＨＩＳ：Hospital Information System）の一部を構成する。
【００３２】
ＲＩＳ１０は、複数の撮影依頼入力端末１２（以下、「入力端末１２」とも称する。）と、ＲＩＳサーバ１４と、複数の放射線画像撮影システム１８（以下、「撮影システム１８」とも称する。）と、個々の患者３０を識別するための患者識別情報（以下、「患者ＩＤ」とも称する。）を記憶し、個々の患者３０に携帯される患者タグ１９と、を含んで構成されている。患者タグ１９は、いわゆる無線タグであり、記憶している患者ＩＤは、無線通信によって読み出し可能である。なお、本実施形態に係る撮影システム１８では、患者タグ１９が、患者ＩＤ読取器（図示省略）を介してコンソール４２との間で無線通信を行うことができるものとされている。
【００３３】
ＲＩＳサーバ１４は、ＲＩＳ１０全体の管理をするものであり、ＬＡＮ（Local Area Network）ケーブル２０又は無線ＬＡＮ２２により、各入力端末１２及び撮影システム１８と相互通信が可能に構成されている。また、ＲＩＳサーバ１４は、ＨＩＳ全体の管理をするＨＩＳサーバ２４に接続されている。
【００３４】
入力端末１２は、医師２６（図２を参照。）や放射線技師が、診断情報や施設予約の入力・閲覧をするためのものであり、放射線画像の撮影依頼（撮影予約）もこの入力端末１２からなされる。各入力端末１２は、表示装置付きのパーソナルコンピュータから構成され、ＲＩＳサーバ１４とＬＡＮにより接続されて相互通信が可能となっている。
【００３５】
ＲＩＳサーバ１４は、各入力端末１２からの撮影依頼を受け付け、撮影システム１８における放射線画像の撮影スケジュールを管理するものであり、データベース２８を含んで構成されている。
【００３６】
データベースは、患者３０（図２を参照。）の属性情報（氏名、性別、生年月日、年齢、血液、患者ＩＤ等）、病歴、受診歴、過去に撮影した放射線画像等、患者３０に関する情報、及び撮影システム１８の電子カセッテ３２の識別番号、型式、サイズ、感度、使用可能な撮影部位（対応可能な撮影依頼の内容）、使用開始年月日、使用回数等、電子カセッテ３２に関する情報を含んで構成されている。
【００３７】
撮影システム１８は、ＲＩＳサーバ１４からの指示に応じて医師２６や放射線技師の操作により放射線画像の撮影を行う。撮影システム１８は、撮影条件に従った放射線量からなる放射線Ｘを被写体としての患者３０に照射する撮影装置３４と、患者３０を透過した放射線Ｘを検出し、放射線画像情報に変換する放射線検出器（後述）を内蔵する電子カセッテ３２と、前記放射線検出器によって検出された放射線Ｘに基づく放射線画像を表示する表示装置３６と、電子カセッテ３２に内蔵されるバッテリ３８（図３、図４及び図１１を参照。）を充電するクレードル４０と、電子カセッテ３２、撮影装置３４、表示装置３６及びクレードル４０を制御するコンソール４２と、を備える。電子カセッテ３２、撮影装置３４、表示装置３６及びクレードル４０と、コンソール４２との間では、無線通信による信号の送受信が行われる。
【００３８】
図２には、本実施形態に係る撮影システム１８を配置した様子の一例として、撮影システム１８が撮影室としての手術室４４内に設置された様子が示されている。図２の手術室４４では、撮影システム１８に加えて、患者３０が横臥する手術台４６が配置されると共に、医師２６が手術に使用する各種器具が載置される器具台４８が手術台４６の側部に配置される。また、手術台４６の周りには、麻酔器、吸引器、心電計、血圧計等、手術に必要な様々な機器が配置される（これらの機器は、図２では省略されている。）。
【００３９】
撮影装置３４は、自在アーム５０に連結され、患者３０の撮影部位に応じた所望の位置に移動可能であると共に、医師２６による手術の邪魔とならない位置に待避可能である。同様に、表示装置３６は、自在アーム５２に連結され、撮影された放射線画像を医師２６が容易に確認できる位置に移動可能である。
【００４０】
図２の例は、撮影システム１８が手術室４４内に設置されているが、放射線画像の撮影専用に設置された撮影室内等、他の場所に撮影システム１８を設置しても良い。
【００４１】
図３には、電子カセッテ３２の内部構成を示す図が示されている。
【００４２】
同図に示すように、電子カセッテ３２は、放射線Ｘを透過させる材料からなる筐体５４を備えている。筐体５４の内部には、放射線Ｘが照射される筐体５４の照射面５６側から、患者３０による放射線Ｘの散乱線を除去するグリッド５８、患者３０を透過した放射線Ｘを検出する放射線検出器６０（放射線変換パネル）、及び、放射線Ｘのバック散乱線を吸収する鉛板６２が順に配設される。なお、筐体５４の照射面５６をグリッド５８として構成してもよい。
【００４３】
また、筐体５４の内部には、電子カセッテ３２の電源であるバッテリ３８と、バッテリ３８から供給される電力により放射線検出器６０を駆動制御するカセッテ制御部６４と、放射線検出器６０によって検出した放射線Ｘの情報を含む信号をコンソール４２との間で送受信する送受信機６６とが収容される。
【００４４】
電子カセッテ３２は、手術室４４等で使用されるとき、血液やその他の雑菌が付着するおそれがある。そこで、電子カセッテ３２を防水性、密閉性を有する構造とし、必要に応じて殺菌洗浄することにより、１つの電子カセッテ３２を繰り返し続けて使用することができる。
【００４５】
電子カセッテ３２は、手術室４４で使用される場合に限られるものではなく、例えば、検診や病院内での回診にも適用することができる。
【００４６】
また、電子カセッテ３２と外部機器との間での無線通信は、通常の電波による通信に代えて、赤外線等を用いた光無線通信で行うようにしても良い。
【００４７】
図４には、放射線検出器６０の回路構成を示すブロック図が示されている。放射線検出器６０は、放射線Ｘを感知して電荷を発生させるアモルファスセレン（ａ−Ｓｅ）等の物質からなる光電変換層６８を行列状の薄膜トランジスタ（ＴＦＴ：Thin Film Transistor）７０のアレイの上に配置した構造を有し、発生した電荷を蓄積容量７２に蓄積した後、各行毎にＴＦＴ７０を順次オンにして、電荷を画像信号として読み出す。図４では、光電変換層６８及び蓄積容量７２からなる１つの画素７４と１つのＴＦＴ７０との接続関係のみを示し、その他の画素７４の構成については省略している。なお、アモルファスセレンは、高温になると構造が変化して機能が低下してしまうため、所定の温度範囲内で使用する必要がある。従って、電子カセッテ３２内に放射線検出器６０を冷却する手段を配設することが好ましい。また、放射線検出器６０は、アモルファスセレンのような放射線Ｘを直接的に電荷に変換するＸ線-電荷変換材料の代わりに、蛍光体材料と光電変換素子（フォトダイオード）を用いて間接的に電荷に変換しても良い。蛍光体材料としては、ガドリニウム硫酸化物（ＧＯＳ）やヨウ化セシウム（ＣｓＩ）が良く知られている。この場合、蛍光材料によってＸ線−光変換を行い、光電変換素子のフォトダイオードによって光−電荷変換を行う。
【００４８】
各画素７４に接続されるＴＦＴ７０には、行方向と平行に延びるゲート線７６と、列方向と平行に延びる信号線７８とが接続される。各ゲート線７６は、ライン走査駆動部８０に接続され、各信号線７８はマルチプレクサ８２に接続される。
【００４９】
ゲート線７６には、行方向に配列されたＴＦＴ７０をオンオフ制御する制御信号Ｖｏｎ、Ｖｏｆｆがライン走査駆動部８０から供給される。この場合、ライン走査駆動部８０は、ゲート線７６を切り替える複数のスイッチＳＷ１と、スイッチＳＷ１の１つを選択する選択信号を出力するアドレスデコーダ８４とを備える。アドレスデコーダ８４には、カセッテ制御部６４からアドレス信号が供給される。
【００５０】
また、信号線７８には、列方向に配列されたＴＦＴ７０を介して各画素７４の蓄積容量７２に保持されている電荷が流出する。この電荷は、増幅器８６によって増幅される。増幅器８６には、サンプルホールド回路８８を介してマルチプレクサ８２が接続される。マルチプレクサ８２は、信号線７８を切り替える複数のスイッチＳＷ２と、スイッチＳＷ２の１つを選択する選択信号を出力するアドレスデコーダ９０とを備える。アドレスデコーダ９０には、カセッテ制御部６４からアドレス信号が供給される。マルチプレクサ８２には、Ａ／Ｄ変換器９２が接続され、Ａ／Ｄ変換器９２によってデジタル信号に変換された放射線画像情報がカセッテ制御部６４に供給される。
【００５１】
次に、図５〜図１０を参照しながら電子カセッテ３２の発熱部を冷却するための構成について説明する。なお、上記発熱部としては、例えば、バッテリ３８、放射線検出器６０、カセッテ制御部６４、各種回路のうち発熱する発熱回路、各種素子のうち発熱する発熱素子が該当する。
【００５２】
図５は、本実施形態に係る電子カセッテ３２の外観を示す斜視図であり、通気口が閉塞された状態を示す図である。図６は、図５のａ−ａ線断面図である。図７は、本実施形態に係る電子カセッテ３２の外観を示す斜視図であり、通気口が開放された状態を示す図である。図８は、本実施形態に係る電子カセッテ３２の移動機構を示す正面図であり、通気口が開放された状態を示す図である。図９は、本実施形態に係る電子カセッテ３２の移動機構を示す部分断面図である。図１０は、本実施形態に係る電子カセッテ３２の移動機構を示す正面図であり、通気口が閉塞された状態を示す図である。
【００５３】
電子カセッテ３２の筐体５４は、外縁に４辺５４Ａ，５４Ｂ，５４Ｃ，５４Ｄを有する形状、具体的には、四辺形状（四角形状）をしている。より具体的には、電子カセッテ３２の筐体５４は、長方形状をしている。また、筐体５４は、角が丸くなった形状をしている。図２及び図３では、筐体５４の形状を概略的に示しており、角を有する形状となっている。なお、筐体５４は、角を有する形状であっても良い。
【００５４】
４辺５４Ａ，５４Ｂ，５４Ｃ，５４Ｄをなす筐体５４の側面９４Ａ，９４Ｂ，９４Ｃ，９４Ｄには、図６及び図７に示すように、筐体５４の内部へ外気を取り込み可能な通気口９６が形成されている。なお、側面９４Ａが辺５４Ａに対応し、側面９４Ｂが辺５４Ｂに対応し、側面９４Ｃが辺５４Ｃに対応し、側面９４Ｄが辺５４Ｄに対応している。
【００５５】
通気口９６は、筐体５４の全周にわたって連通し、側面９４Ａ，９４Ｂ，９４Ｃ，９４Ｄに形成された単一の開口で構成されている。なお、通気口９６は、側面９４Ａ，９４Ｂ，９４Ｃ，９４Ｄのそれぞれに独立して形成される構成であっても良く、また、側面９４Ａ，９４Ｂ，９４Ｃ，９４Ｄのうちの２つ又は３つの側面が連通する構成であっても良い。更に、通気口９６は、発熱部に対応して配置されていれば良く、発熱部が４辺５４Ａ，５４Ｂ，５４Ｃ，５４Ｄのうちの１辺に沿って配置される場合には、その１辺をなす側面９４Ａ，９４Ｂ，９４Ｃ，９４Ｄに形成されていれば良い。従って、通気口９６は、側面９４Ａ，９４Ｂ，９４Ｃ，９４Ｄのうちの何れかに少なくとも形成されていれば良い。
【００５６】
また、通気口９６は、２つの側面に形成される場合には、対向する側面（例えば、側面９４Ａ、側面９４Ｃ）に形成される構成あっても良く、また、隣接する側面（例えば、側面９４Ａ、側面９４Ｂ）に形成される構成であっても良い。
【００５７】
筐体５４には、通気口９６を覆う蓋部材９８が設けられている。
【００５８】
蓋部材９８は、無端の環状にされた帯体で形成されている。蓋部材９８は、側面９４Ａ，９４Ｂ，９４Ｃ，９４Ｄ及び通気口９６を筐体２０の外面側から囲むと共に、各側面を締め付けるように筐体５４の側面９４Ａ，９４Ｂ，９４Ｃ，９４Ｄに設けられており、筐体５４の外側から加わる衝撃を吸収する弾性材で形成されている。すなわち、蓋部材９８は筐体５４の外側から加わる衝撃を吸収する緩衝部材としても機能する。
【００５９】
なお、本実施形態では、蓋部材９８を構成する弾性材として樹脂を適用しているが、これに限らず、ゴムなどの他の弾性材であっても良い。
【００６０】
また、蓋部材９８は、電磁波を遮断する部材で構成されている。すなわち、蓋部材９８には、フェライト焼結体、軟磁合金及びカルボニル鉄などの電磁波吸収材料が混在している。
【００６１】
蓋部材９８には、図６に示すように、通気口９６に入り込む凸部９８Ａが形成されている。この凸部９８Ａにより、蓋部材９８と筐体５４との接触面積が増大し、筐体５４の密閉性が高められる。
【００６２】
図８に示すように、電子カセッテ３２は、通気口９６を開放及び閉塞するように蓋部材９８を移動させる移動機構１００を備えている。移動機構１００は、筐体５４にスライド移動可能に設けられたスライダ１０２と、スライダ１０２に設けられたリンク部材１０４と、スライダ１０２をスライド移動させるアクチュエータ１０６と、を備えている。
【００６３】
図９に示すように、スライダ１０２、リンク部材１０４及びアクチュエータ１０６は、通気口９６を間に挟むように筐体５４の両側にそれぞれ配置されている。
【００６４】
リンク部材１０４は、先端部が蓋部材９８に回動可能に取り付けられると共に後端部がスライダ１０２に回動可能に取り付けられている。
【００６５】
具体的には、リンク部材１０４の先端部は、蓋部材９８に接着等により固定されると共に薄肉とされた脆弱部９８Ｂを回動中心として回動するようになっている。一方、リンク部材１０４の後端部は、スライダ１０２に軸部１０８により回動可能に支持され、軸部１０８を回動中心として回動するようになっている。
【００６６】
スライダ１０２は、筐体５４に設けられたレール１１０に取り付けられており、このレール１１０に案内されて筐体５４の側面９４Ｂに沿ってスライド移動可能とされている。具体的には、スライダ１０２は、リンク部材１０４の先端部が取り付けられた蓋部材９８の部位に軸部１０８が対向する対向位置（図８参照。）と、リンク部材１０４の長さよりも若干短い距離分対向位置から退避した退避位置（図１０参照。）との間をスライド移動可能とされている。
【００６７】
本実施形態に係る電子カセッテ３２では、アクチュエータ１０６としてソレノイドを適用している。上記ソレノイドは、プランジャがケース内に吸引されているときにスライダ１０２が退避位置に位置し、プランジャがケースから引き出されているときにスライダ１０２が対向位置に位置するように、ケースが筐体５４の内壁に、プランジャがスライダ１０２に各々固定されている。上記ソレノイドは通電時にプランジャがケース内に吸引され、非通電時には巻装されたコイルばねの付勢力によりプランジャがケースから引き出される。
【００６８】
スライダ１０２がアクチュエータ１０６により対向位置に移動すると、図８に示すように、リンク部材１０４の長手方向が辺５４Ｂと直交する方向に向き、リンク部材１０４の先端部が筐体５４の外側へ突出して蓋部材９８を筐体５４の外側へ押圧する。これにより、蓋部材９４が自身の復元力に抗して通気口９６を開放する開放位置へ移動する。
【００６９】
一方、スライダ１０２がアクチュエータ１０６により退避位置に移動すると、図１０に示すように、リンク部材１０４の長手方向が辺５４Ｂに沿った方向に向き、リンク部材１０４の先端部が筐体５４の内側に収納されて蓋部材９８が筐体５４の外側から筐体５４側へ引っ張られる。これにより、蓋部材９８が通気口９６を閉塞する閉塞位置へ移動し、自身の復元力により筐体５４の側面９４Ｂに密着する。
【００７０】
このように、スライダ１０２がスライド移動することにより、リンク部材１０４が筐体５４の側面９４Ｂに対して起立して蓋部材９８が開放位置へ移動し、リンク部材１０４が筐体５４の側面９４Ｂに対して傾倒して蓋部材６２が閉塞位置へ移動するので、通気口９６が開放されているときよりも通気口９６が閉塞されているときの方が筐体５４内への電磁波の侵入路が減少することになる。
【００７１】
上記では、辺５４Ｂをなす側面９４Ｂに配置された移動機構１００について説明したが、移動機構１００は各側面９４Ａ，９４Ｃ，９４Ｄにも配置されており、通気口９６は、各側面９４Ａ，９４Ｂ，９４Ｃ，９４Ｄにおいて蓋部材９８を独立して開閉する構成となっている。なお、移動機構１００は、少なくとも側面９４Ａ，９４Ｂ，９４Ｃ，９４Ｄの何れかに配置されていれば良い。
【００７２】
また、通気口９６が開放された状態において外気を筐体５４内部に流通させるためのファンを筐体５４内部に設けても良い。
【００７３】
図１１は、本実施形態に係る放射線画像撮影システム１８のより詳細な構成を示すブロック図である。
【００７４】
同図に示すように、撮影装置３４は、撮影を実行する際に撮影者によって押圧操作される撮影ボタン３４Ａと、放射線Ｘを出力する放射線源３４Ｂと、コンソール４２から無線通信により撮影条件等に関する信号を受信する一方、コンソール４２に対して無線通信により各種信号を送信する送受信機３４Ｃと、撮影ボタン３４Ａから供給される撮影開始信号及び送受信機３４Ｃから供給される撮影条件に基づいて放射線源３４Ｂを制御する線源制御部３４Ｄと、を備えている。
【００７５】
なお、本第１の実施形態に係る撮影ボタン３４Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００７６】
撮影装置３４の線源制御部３４Ｄは、コンソール４２の送受信機４２Ｈ（後述）及び撮影装置３４の送受信機３４Ｃを介して、コンソール４２のＣＰＵ（中央処理装置）４２Ａより患者３０の撮影条件を無線通信により取得し、取得した撮影条件に従って放射線源３４Ｂを制御することにより、所定の放射線量からなる放射線Ｘを患者３０に照射する。
【００７７】
電子カセッテ３２は、バッテリ３８と、カセッテ制御部６４と、コンソール４２から無線通信により各種情報を受信する一方、撮影して得られた放射線画像情報をコンソール４２に無線通信により送信する送受信機６６と、放射線検出器６０と、を備えている。
【００７８】
バッテリ３８は、カセッテ制御部６４、送受信機６６、放射線検出器６０、及びカセッテ制御部６４からの指示に従ってアクチュエータ１０６の作動を制御するドライバ１２０に電気的に接続されており、各部に電力を供給する。
【００７９】
カセッテ制御部６４は、ＣＰＵ６４Ａ、ＲＯＭ（Read Only Memory）６４Ｂ、ＲＡＭ（Random Access Memory）６４Ｃ、ＮＶＭ（Non Volatile Memory)６４Ｄ、及び画像メモリ６４Ｅを含んで構成されている。
【００８０】
ＣＰＵ６４Ａは、電子カセッテ３２全体の動作を司るものである。ＲＯＭ６４Ｂは、電子カセッテ３２の作動を制御する制御プログラム、後述する開閉制御処理プログラムや各種パラメータ等を予め記憶する記憶手段として機能するものである。ＲＡＭ６４Ｃは、各種プログラムの実行時のワークエリア等として用いられるものである。ＮＶＭ６４Ｄは、装置の電源スイッチが切られても保持しなければならない各種情報を記憶するものである。画像メモリ６４Ｅは、放射線検出器６０によって検出された放射線画像情報を記憶するものである。
【００８１】
ＣＰＵ６４Ａには、放射線検出器６０、ＲＯＭ６４Ｂ、ＲＡＭ６４Ｃ、ＮＶＭ６４Ｄ、画像メモリ６４Ｅ及び送受信機６６が接続されている。また、ＣＰＵ６４Ａには、ドライバ１２０を介してアクチュエータ１０６が接続されている。従って、ＣＰＵ６４Ａは、放射線検出器６０を構成するライン走査駆動部８０（図４を参照。）のアドレスデコーダ８４及びマルチプレクサ８２のアドレスデコーダ９０に対してのアドレス信号の供給と、ＲＯＭ６４Ｂ、ＲＡＭ６４Ｃ、ＮＶＭ６４Ｄ及び画像メモリ６４Ｅへのアクセスと、コンソール４２との送受信機６６を介した各種情報の送受信と、ドライバ１２０を介したアクチュエータ１０６の作動の制御と、を各々行うことができる。
【００８２】
クレードル４０は、クレードル４０全体の動作を制御するクレードル制御部４０Ａと、コンソール４２との間で無線通信により各種情報の送受信を行う送受信機４０Ｂと、電子カセッテ３２のバッテリ３８に電力を供給する電力供給部４０Ｃと、を備えている。
【００８３】
なお、本実施形態に係るクレードル４０では、電子カセッテ３２が装填されることにより、電力供給部４０Ｃがバッテリ３８に電力を供給すると共に、画像メモリ６４Ｅに放射線画像情報が記憶されている場合にはクレードル制御部４０Ａが当該放射線画像情報を取得し、取得した放射線画像情報を送受信機４０Ｂを介してコンソール４２に送信する。
【００８４】
表示装置３６は、コンソール４２から放射線画像情報を受信する受信機３６Ａと、受信した放射線画像情報の表示制御を行う表示制御部３６Ｂと、表示制御部３６Ｂによって処理された放射線画像情報を表示する表示部３６Ｃと、を備えている。
【００８５】
コンソール４２は、ＣＰＵ４２Ａ、ＲＯＭ４２Ｂ、ＲＡＭ４２Ｃ、ＮＶＭ４２Ｄ、受付部４２Ｅ，表示制御部４２Ｆ、表示部４２Ｇ及び送受信機４２Ｈを備えている。
【００８６】
ＣＰＵ４２Ａは、コンソール４２全体の動作を司るものである。ＲＯＭ４２Ｂは、コンソール４２の作動を制御する制御プログラムや各種パラメータ等を予め記憶する記憶手段として機能するものである。ＲＡＭ４２Ｃは、各種プログラムの実行時のワークエリア等として用いられるものである。ＮＶＭ４２Ｄは、装置の電源スイッチが切られても保持しなければならない各種情報を記憶するものである。受付部４２Ｅは、複数のキーを含んで構成され、各種情報や指示を受け付けるものである。表示制御部４２Ｆは、受信した各種情報の表示制御を行うものである。表示部４２Ｇは、表示制御部４２Ｆによって処理された各種情報を表示するものである。送受信機４２Ｈは、放射線画像情報などの各種情報を無線通信により送受信するものである。
【００８７】
なお、本実施形態では、表示部３６Ｃ，４２ＧとしてＬＣＤ（Liquid Crystal Display）を用いて可視表示を行っているが、これに限らず、表示部３６Ｃ，４２Ｇとして有機ＥＬディスプレイ、ＣＲＴディスプレイ等の他のディスプレイを用いて可視表示を行っても良い。
【００８８】
次に、本実施形態に係るＲＩＳ１０の全体的な動作について簡単に説明する。
【００８９】
入力端末１２は、医師２６又は放射線技師からの、撮影依頼を受け付ける。当該撮影依頼では、患者３０の患者ＩＤ、撮影の日時及び撮影条件｛撮影の部位、角度及び枚数、放射線Ｘを照射するための管電圧、管電流、照射時間並びに電子カセッテ３２のサイズ及び感度等｝が指定される。
【００９０】
入力端末１２は、受け付けた撮影依頼の内容をＲＩＳサーバ１４に通知する。ＲＩＳサーバ１４は、入力端末１２から通知された撮影依頼の内容をデータベース２８に記録する。
【００９１】
コンソール４２は、ＲＩＳサーバ１４にアクセスすることにより、ＲＩＳサーバ１４から撮影依頼の内容を取得し、撮影依頼の内容を表示部４２Ｇに表示すると共に、患者ＩＤ読取器（図示省略）を介して、患者３０の患者タグ１９から患者ＩＤを読み取り、当該患者ＩＤと撮影依頼の内容に含まれる患者ＩＤとを照合する。
【００９２】
コンソール４２は、患者ＩＤが一致しない場合、撮影装置３４による放射線Ｘの照射を許可しない。すなわち、撮影装置３４の線源制御部３４Ｄに対し、放射線源３４Ｂによる放射線Ｘの照射を禁止することを示す禁止信号を送信する。
【００９３】
また、コンソール４２は、患者ＩＤが一致した場合、撮影装置３４による放射線Ｘの照射を許可する。すなわち、撮影装置３４の線源制御部３４Ｄに対し、患者３０の特定が終了したことを示し、かつ放射線源３４Ｂによる放射線Ｘの照射を許可することを示す許可信号（本発明の特定終了情報に相当。）を送信する。なお、本第１の実施形態に係るコンソール４２は、患者ＩＤが一致した場合、電子カセッテ３２に対し、許可信号を送信する。電子カセッテ３２は、許可信号を受信すると、省電力モード（特定の外部信号を受信可能であるが、放射線検出器６０には電力が供給されず、放射線検出ができないモード）から通常モード（放射線検出器６０に電力が供給され、放射線検出が可能なモード）に移行する。
【００９４】
医師２６や放射線技師が表示部４２Ｇに表示された撮影依頼の内容に基づいて放射線画像の撮影を開始すると、撮影装置３４の放射線源３４Ｂから患者３０に放射線Ｘが照射される。当該放射線Ｘは患者３０を透過し、電子カセッテ３２のグリッド５８によって散乱線が除去された後、放射線検出器６０に照射され、放射線検出器６０を構成する各画素７４の光電変換層６８によって電気信号に変換され、蓄積容量７２に電荷として保持される（図４参照。）。次いで、各蓄積容量７２に保持された患者３０の放射線画像情報である電荷情報は、カセッテ制御部６４を構成するＣＰＵ６４Ａからライン走査駆動部８０及びマルチプレクサ８２に供給されるアドレス信号に従って読み出される。
【００９５】
すなわち、ライン走査駆動部８０のアドレスデコーダ８４は、ＣＰＵ６４Ａから供給されるアドレス信号に従って選択信号を出力してスイッチＳＷ１の１つを選択し、対応するゲート線７６に接続されたＴＦＴ７０のゲートに制御信号Ｖｏｎを供給する。一方、マルチプレクサ８２のアドレスデコーダ９０は、ＣＰＵ６４Ａから供給されるアドレス信号に従って選択信号を出力してスイッチＳＷ２を順次切り替え、ライン走査駆動部８０によって選択されたゲート線７６に接続された各画素７４の蓄積容量７２に保持された電荷情報である放射線画像情報を信号線７８を介して順次読み出す。
【００９６】
選択されたゲート線７６に接続された各画素７４の蓄積容量７２から読み出された放射線画像情報は、各増幅器８６によって増幅された後、各サンプルホールド回路８８によってサンプリングされ、マルチプレクサ８２を介してＡ／Ｄ変換器９２に供給され、デジタル信号に変換される。デジタル信号に変換された放射線画像情報は、カセッテ制御部６４の画像メモリ６４Ｅに一旦記憶された後、送受信機６６を介して、無線通信によりコンソール４２に送信される。
【００９７】
同様にして、ライン走査駆動部８０のアドレスデコーダ８４は、ＣＰＵ６４Ａから供給されるアドレス信号に従ってスイッチＳＷ１を順次切り替え、各ゲート線７６に接続されている各画素７４の蓄積容量７２に保持された電荷情報である放射線画像情報を信号線７８を介して読み出し、マルチプレクサ８２及びＡ／Ｄ変換器９２を介してカセッテ制御部６４の画像メモリ６４Ｅに記憶させる。
【００９８】
コンソール４２に送信された放射線画像情報は、送受信機４２Ｈによって受信され、ＣＰＵ４２Ａにおいて所定の画像処理が施された後、患者３０の患者ＩＤと関連付けられた状態でＮＶＭ４２Ｄに記憶される。
【００９９】
また、画像処理の施された放射線画像情報は、送受信機４２Ｈから表示装置３６に送信される。受信機３６Ａによって放射線画像情報を受信した表示装置３６は、表示制御部３６Ｂによって表示部３６Ｃを制御し、放射線画像を表示する。医師２６は、表示部３６Ｃに表示された放射線画像を確認しながら手術を遂行する。
【０１００】
図１２には、本第１の実施形態に係る電子カセッテ３２及び撮影装置３４における撮影の処理の流れを示すタイムチャートが示されている。
【０１０１】
同図に示すように、撮影装置３４では、撮影ボタン３４Ａが撮影者によって半押し状態とされた場合、撮影ボタン３４が線源制御部３４Ｄに対し、放射線を照射するためのエネルギーを放射線源３４Ｂに蓄積することを指示する蓄積指示信号を出力する。これに応じて、線源制御部３４Ｄは、放射線源３４Ｂに当該エネルギーを蓄積するように制御を行う。
【０１０２】
撮影ボタン３４は、撮影者によって引き続き全押し状態とされた場合、線源制御部３４Ｄに対し、放射線を照射することを指示する照射指示信号を出力する。これに応じて、線源制御部３４Ｄは、放射線源３４Ｂに蓄積されたエネルギーを用いて放射線源３４Ｂから放射線が照射されるように制御を行うと共に、コンソール４２に対して、放射線の照射開始が指示されたことを示す照射開始情報を送受信機３４Ｃを介して送信する。コンソール４２のＣＰＵ４２Ａは、送受信機４２Ｈを介して当該照射開始情報を受信すると、これを送受信機４２Ｈを介して電子カセッテ３２に転送する。
【０１０３】
電子カセッテ３２のＣＰＵ６４Ａは、送受信機６６を介してコンソール４２から転送された照射開始情報を受信すると、蓄積容量７２に蓄積されている放射線画像情報を読み取ることを示す読取信号（アドレス信号）を出力する。これによって、蓄積容量７２に蓄積されている余剰電荷が捨て去られる空読みが行われる。そして、放射線Ｘは空読みから所定時間後に照射（曝射）される。放射線検出器６０は放射線Ｘを検出した際に放射線検出信号をＣＰＵ６４Ａに出力する。
【０１０４】
電子カセッテ３２のＣＰＵ６４Ａは、放射線検出信号が出力されてから所定時間後に読取信号を出力する。これによって、蓄積容量７２に蓄積されている放射線画像情報が画像メモリ６４に記憶される本読みが行われる。
【０１０５】
そして、本読みが行われる間、電子カセッテ３２のＣＰＵ６４Ａは、アクチュエータ１０６としてのソレノイドが通電されるように制御を行う。これによって、当該ソレノイドのプランジャがケース内に吸引され、通気口９６が蓋部材９８によって閉塞される。なお、本読みが行われる期間以外の期間では、当該ソレノイドは通電されないため、プランジャがケースから引き出された状態となり、通気口９６が開放される。
【０１０６】
次に、図１３を参照して、本読みが開始された際の電子カセッテ３２の処理ルーチンを説明する。なお、図１３は、この際に電子カセッテ３２のＣＰＵ６４Ａによって実行される開閉制御処理プログラムの処理の流れを示すフローチャートであり、当該プログラムはＲＯＭ６４Ｂの所定領域に予め記憶されている。
【０１０７】
同図のステップ２００では、通気口９６を閉塞するようにアクチュエータ１０６の作動を制御する。
【０１０８】
次のステップ２０２では、本読みの終了待ちを行い、本読みが終了するとステップ２０４へ移行し、通気口９６を開放するようにアクチュエータ１０６の作動を制御した後、本開閉制御処理プログラムを終了する。すなわち、本ステップ２０２では、アクチュエータ１０６としてのソレノイドへの通電を停止するように制御を行う。これによって、当該ソレノイドのプランジャがケースから引き出され、蓋部材９８が閉塞位置から開放位置に移動し、通気口９６が開放される。
【０１０９】
以上詳細に説明したように、本第１の実施形態に係る電子カセッテ３２では、外部から照射された放射線量に応じた放射線画像を示す画像情報を生成し保持する放射線検出器６０、及び当該放射線検出器６０により保持されている放射線画像情報を読み取るカセッテ制御部６４が収納されると共に、側面９４Ａ，９４Ｂ，９４Ｃ，９４Ｄに通気口９６が形成された筐体５４と、筐体５４の側面９４Ａ，９４Ｂ，９４Ｃ，９４Ｄを囲んで通気口９６を開放及び閉塞可能に設けられると共に、電磁波を遮断する部材で構成された蓋部材９８と、通気口９６を開放及び閉塞するように蓋部材９８を移動させる移動機構１００と、カセッテ制御部６４による本読みが行われている期間では通気口９６が閉塞され、当該期間以外の期間では通気口９６が開放されるように移動機構１００を制御するＣＰＵ６４Ａと、を備えることより、本読みが行われている期間では通気口９６が閉塞され、当該期間以外の期間では通気口が開放されるので、放射線画像の画質の低下を抑制することができ、かつ本読みが行われている期間以外の期間で通気を行うことができる。
【０１１０】
また、本第１の実施形態に係る電子カセッテ３２では、蓋部材９８が、通気口９６を閉塞した状態で復元力により筐体５４の側面９４Ａ，９４Ｂ，９４Ｃ，９４Ｄに密着され、通気口９６を開放する際に通気口９６に対応する部分が復元力に抗して筐体５４の側面９４Ａ，９４Ｂ，９４Ｃ，９４Ｄから離れる方向に移動される帯状の弾性部材で構成されているので、簡素な構成で通気口を開放及び閉塞することができる。
【０１１１】
〔第２の実施形態〕
【０１１２】
次に本発明の第２の実施形態を説明する。なお、本第２の実施形態に係る放射線情報システムの構成は、上記第１の実施形態に係る放射線情報システム１０と同様であるので、ここでの説明は省略する。本第２の実施形態では、上記第１の実施形態と異なる部分のみ説明する。
【０１１３】
図１４には、本第２の実施形態に係る電子カセッテ３２及び撮影装置３４における撮影の処理の流れを示すタイムチャートが示されている。
【０１１４】
同図に示すように、電子カセッテ３２に放射線Ｘが照射されてから本読みが終了するまでの間、電子カセッテ３２のＣＰＵ６４Ａは、アクチュエータ１０６としてのソレノイドが通電されるように制御を行う。これによって、当該ソレノイドのプランジャがケース内に吸引され、通気口９６が蓋部材９８によって閉塞される。なお、本読みが終了するとソレノイドへの通電が停止され、これによって、当該ソレノイドのプランジャがケースから引き出され、蓋部材９８が閉塞位置から開放位置に移動し、通気口９６が開放される。
【０１１５】
このように、本第２の実施形態に係る電子カセッテ３２では、放射線Ｘが照射されてから本読みが終了するまでの期間では通気口９６が閉塞され、それ以外の期間では通気口９６が開放されるので、放射線画像の画質の低下を抑制することができ、かつ放射線Ｘが照射されてから本読みが終了するまでの期間以外の期間で通気を行うことができる。
【０１１６】
〔第３の実施形態〕
【０１１７】
次に本発明の第３の実施形態を説明する。なお、本第３の実施形態に係る放射線情報システムの構成は、上記第１の実施形態に係る放射線情報システム１０と同様であるので、ここでの説明は省略する。本第３の実施形態では、上記第１の実施形態と異なる部分のみ説明する。
【０１１８】
図１５には、本第３の実施形態に係る電子カセッテ３２及び撮影装置３４における撮影の処理の流れを示すタイムチャートが示されている。
【０１１９】
同図に示すように、電子カセッテ３２のＣＰＵ６４Ａは、送受信機６６を介してコンソール４２から転送された照射開始情報を受信してから本読みが終了するまでの間、アクチュエータ１０６としてのソレノイドが通電されるように制御を行う。これによって、当該ソレノイドのプランジャがケース内に吸引され、通気口９６が蓋部材９８によって閉塞される。なお、本読みが終了するとソレノイドへの通電が停止され、これによって、当該ソレノイドのプランジャがケースから引き出され、蓋部材９８が閉塞位置から開放位置に移動し、通気口９６が開放される。
【０１２０】
このように、本第３の実施形態に係る電子カセッテ３２では、照射開始情報を受信してから本読みが終了するまでの期間では通気口９６が閉塞され、それ以外の期間では通気口９６が開放されるので、放射線画像の画質の低下を抑制することができ、かつ照射開始情報を受信してから本読みが終了するまでの期間以外の期間で通気を行うことができる。
【０１２１】
〔第４の実施形態〕
【０１２２】
次に本発明の第４の実施形態を説明する。なお、本第４の実施形態に係る放射線情報システムの構成は、上記第１の実施形態に係る放射線情報システム１０と同様であるので、ここでの説明は省略する。本第４の実施形態では、上記第１の実施形態と異なる部分のみ説明する。
【０１２３】
ところで、本第４の実施形態に係る撮影システム１８において、線源制御部３４Ｄは、撮影ボタン３４から蓄積指示信号が入力されると、コンソール４２に対して、放射線を照射するためのエネルギーの蓄積開始が指示されたことを示す蓄積開始情報を送受信機３４Ｃを介して送信する。そして、コンソール４２のＣＰＵ４２Ａは、送受信機４２Ｈを介して当該蓄積開始情報を受信すると、これを送受信機４２Ｈを介して電子カセッテ３２に転送する。
【０１２４】
図１６には、本第４の実施形態に係る電子カセッテ３２及び撮影装置３４における撮影の処理の流れを示すタイムチャートが示されている。
【０１２５】
同図に示すように、電子カセッテ３２のＣＰＵ６４Ａは、送受信機６６を介してコンソール４２から転送された蓄積開始情報を受信してから本読みが終了するまでの間、アクチュエータ１０６としてのソレノイドが通電されるように制御を行う。これによって、当該ソレノイドのプランジャがケース内に吸引され、通気口９６が蓋部材９８によって閉塞される。なお、本読みが終了するとソレノイドへの通電が停止され、これによって、当該ソレノイドのプランジャがケースから引き出され、蓋部材９８が閉塞位置から開放位置に移動し、通気口９６が開放される。
【０１２６】
このように、本第４の実施形態に係る電子カセッテ３２では、蓄積開始情報を受信してから本読みが終了するまでの期間では通気口９６が閉塞され、それ以外の期間では通気口９６が開放されるので、放射線画像の画質の低下を抑制することができ、かつ蓄積開始情報を受信してから本読みが終了するまでの期間以外の期間で通気を行うことができる。
【０１２７】
〔第５の実施形態〕
【０１２８】
次に本発明の第５の実施形態を説明する。なお、本第５の実施形態に係る放射線情報システムの構成は、上記第１の実施形態に係る放射線情報システム１０と同様であるので、ここでの説明は省略する。本第５の実施形態では、上記第１の実施形態と異なる部分のみ説明する。
【０１２９】
図１７には、本第４の実施形態に係る電子カセッテ３２及び撮影装置３４における撮影の処理の流れを示すタイムチャートが示されている。
【０１３０】
同図に示すように、電子カセッテ３２のＣＰＵ６４Ａは、送受信機６６を介してコンソール４２から送信された許可信号を受信してから本読みが終了するまでの間、アクチュエータ１０６としてのソレノイドが通電されるように制御を行う。これによって、当該ソレノイドのプランジャがケース内に吸引され、通気口９６が蓋部材９８によって閉塞される。なお、本読みが終了するとソレノイドへの通電が停止され、これによって、当該ソレノイドのプランジャがケースから引き出され、蓋部材９８が閉塞位置から開放位置に移動し、通気口９６が開放される。
【０１３１】
このように、本第５の実施形態に係る電子カセッテ３２では、許可信号を受信してから本読みが終了するまでの期間では通気口９６が閉塞され、それ以外の期間では通気口９６が開放されるので、放射線画像の画質の低下を抑制することができ、かつ許可信号を受信してから本読みが終了するまでの期間以外の期間で通気を行うことができる。
【０１３２】
以上、本発明を上記各実施形態を用いて説明したが、本発明の技術的範囲は上記各実施形態に記載の範囲には限定されない。発明の主旨を逸脱しない範囲で上記各実施形態に多様な変更または改良を加えることができ、当該変更または改良を加えた形態も本発明の技術的範囲に含まれる。
【０１３３】
また、上記各実施形態は、特許請求の範囲に記載された発明を限定するものではなく、また、上記各実施形態の中で説明されている特徴の組み合わせの全てが発明の解決手段に必須であるとは限らない。上記各実施形態には種々の段階の発明が含まれており、開示される複数の構成要件における状況に応じた組み合わせにより種々の発明を抽出できる。上記各実施形態に示される全構成要件から幾つかの構成要件が削除されても、効果が得られる限りにおいて、この幾つかの構成要件が削除された構成が発明として抽出され得る。
【０１３４】
例えば、上記各実施形態では、アクチュエータ１０６の動力をリンク部材１０４を介して蓋部材９８に伝達して通気口９６を開閉する場合の形態例を挙げて説明したが、本発明はこれに限定されるものではなく、図１８及び図１９に示すように、筐体５４の側面９４Ｂに配置された伸縮可能なロッド４６０Ａ，４６０Ｂと、ロッド４６０Ａ，４６０Ｂが収容される収容体４６０Ｃと、を有する移動機構４６０により通気口９６を開閉しても良い。この場合、ロッド４６０Ａ，４６０Ｂ及び収容体４６０Ｃは、通気口９６を間に挟むように筐体５４の両側にそれぞれ配置されている。
【０１３５】
ロッド４６０Ａの先端部は、蓋部材９８の表面に当接しており、ロッド４６０Ａ，４６０Ｂが伸長してロッド４６０Ａが蓋部材９８を押圧することにより、蓋部材９８が通気口９６を開放する。
【０１３６】
また、ロッド４６０Ａ，４６０Ｂが縮んで収容体４６０Ｃに収容されることにより、蓋部材９８の弾性力によって蓋部材９８は閉塞位置に復帰し、蓋部材９８が通気口９６を閉塞する。
【０１３７】
ロッド４６０Ａを駆動する駆動機構としては、例えば、ソレノイドを用いることができる。また、移動機構４６０は各側面９４Ａ，９４Ｃ，９４Ｄにも配置されており、通気口９６は、各側面９４Ａ，９４Ｂ，９４Ｃ，９４Ｄにおいて蓋部材９８を独立して開閉する構成となっている。なお、移動機構４６０は、側面９４Ａ，９４Ｂ，９４Ｃ，９４Ｄの少なくとも何れかに配置されていれば良い。
【０１３８】
また、移動機構４６０は、筐体５４の側面９４Ａ，９４Ｂ，９４Ｃ，９４Ｄではなく、図２０に示すように、例えば、筐体５４の隅部に配置された構成であってもよい。移動機構４６０は、筐体５４の４隅にそれぞれ配置されている。
【０１３９】
ロッド４６０Ａ，４６０Ｂが伸長して、ロッド４６０Ａが蓋部材９８の隅部を押圧することにより、蓋部材９８が側面９４Ｂ，９４Ｃに形成された通気口９６を開放する。この構成では、側面９４Ｂ，９４Ｃに形成された通気口９６を一度に開放することができる。また、通気口９６を筐体５４の隅部に配置することにより、筐体５４のデッドスペースが小さくなる。
【０１４０】
その他、上記各実施形態で説明したＲＩＳ１０の構成（図１〜図１１を参照。）は一例であり、本発明の主旨を逸脱しない範囲内において状況に応じて変更可能であることは言うまでもない。
【０１４１】
また、上記各実施形態で説明したプログラムの処理の流れ（図１３を参照。）も一例であり、本発明の主旨を逸脱しない範囲内において不要なステップを削除したり、新たなステップを追加したり、処理順序を入れ替えたりすることができることは言うまでもない。
【図面の簡単な説明】
【０１４２】
【図１】実施形態に係る放射線情報システムの構成を示すブロック図である。
【図２】実施形態に係る放射線画像撮影システムが設置された手術室の様子を示す図である。
【図３】実施形態に係る電子カセッテの内部構成を示す斜視図である。
【図４】実施形態に係る放射線検出器の回路構成を示すブロック図である。
【図５】実施形態に係る電子カセッテの外観を示す斜視図である。
【図６】図５のａ−ａ線断面図である。
【図７】実施形態に係る電子カセッテの外観を示す斜視図であり、通気口が開放された状態を示す図である。
【図８】実施形態に係る移動機構を示す正面図であり、通気口が開放された状態を示す図である。
【図９】実施形態に係る移動機構を示す部分断面図である。
【図１０】実施形態に係る移動機構を示す正面図であり、通気口が閉塞された状態を示す図である。
【図１１】実施形態に係る撮影システムの電気系の構成を示すブロック図である。
【図１２】第１の実施形態に係る電子カセッテ及び撮影装置における撮影の処理の流れを示すタイムチャートである。
【図１３】第１の実施形態に係る開閉制御処理プログラムの処理の流れを示すフローチャートである。
【図１４】第２の実施形態に係る電子カセッテ及び撮影装置における撮影の処理の流れを示すタイムチャートである。
【図１５】第３の実施形態に係る電子カセッテ及び撮影装置における撮影の処理の流れを示すタイムチャートである。
【図１６】第４の実施形態に係る電子カセッテ及び撮影装置における撮影の処理の流れを示すタイムチャートである。
【図１７】第５の実施形態に係る電子カセッテ及び撮影装置における撮影の処理の流れを示すタイムチャートである。
【図１８】実施形態に係る電子カセッテの変形例を示す正面図であり、通気口が開放された状態を示す図である。
【図１９】実施形態に係る電子カセッテの変形例を示す正面図であり、通気口が閉塞された状態を示す図である。
【図２０】実施形態に係る電子カセッテの変形例を示す正面図である。
【符号の説明】
【０１４３】
１８  放射線画像撮影システム
３２  電子カセッテ
３４  撮影装置（通信装置）
４２  コンソール（通信装置）
４２Ｈ  送受信機（送信手段）
６０  放射線検出器（生成保持手段）
６４  カセッテ制御部（読取手段）
６４Ａ  ＣＰＵ（制御手段）
６６  送受信機（受信手段）
９４Ａ，９４Ｂ，９４Ｃ，９４Ｄ  側面
９６  通気口
９８  蓋部材（遮断部材）
１００，４６０  移動機構（移動手段）
【図１】
2010005096.tif 000003
【図２】
2010005096.tif 000004
【図３】
2010005096.tif 000005
【図４】
2010005096.tif 000006
【図５】
2010005096.tif 000007
【図６】
2010005096.tif 000008
【図７】
2010005096.tif 000009
【図８】
2010005096.tif 000010
【図９】
2010005096.tif 000011
【図１０】
2010005096.tif 000012
【図１１】
2010005096.tif 000013
【図１２】
2010005096.tif 000014
【図１３】
2010005096.tif 000015
【図１４】
2010005096.tif 000016
【図１５】
2010005096.tif 000017
【図１６】
2010005096.tif 000018
【図１７】
2010005096.tif 000019
【図１８】
2010005096.tif 000020
【図１９】
2010005096.tif 000021
【図２０】
2010005096.tif 000022